(57)【要約】【課題】美感と通気性とに優れた背座一体方式の椅子を提供する。【手段】椅子は、座２と背もたれ３とが一体化した上部分１と、これが上から重なる脚装置４とから成っている。上部分１は側面視でＬ字状のフレーム構造体５とこれに取り付けられたサポートシート６とから成っている。サポートシート６の外周部は筒部６ａ，６ｂ，６ｃになっている。左右サイドメンバー７とアッパーメンバー８とは溶接で一体化されており、これが先にサポートシート６の筒部６ａ，６ｂに通されている。その後、フロントメンバー９をフロント筒部６ｃに差し込んで、フロントメンバー９を左右サイドメンバーに連結している。左右サイドメンバー７の曲がり部７ａは中間メンバー１０で間隔が保持されている。サポートシート６は座２と背もたれ３とに一連に延びているため、美感に優れている。中間メンバー１０によって剛性も確保されている。【選択図】図２
2010154879.tif 000002
【特許請求の範囲】
【請求項１】
座及び背もたれを、フレーム構造体とこれにピンと張った状態で取り付けられた１つのサポートシートとで構成しており、前記フレーム構造体及びサポートシートは座の部分と背もたれの部分とが一連に連続しており、前記サポートシートが張られたフレーム構造体を脚装置に上方から重ねて固定している、
椅子。
【請求項２】
前記フレーム構造体は、座の左右側部と背もたれの左右側部とを構成するよう側面視略Ｌ字状に曲げられた左右サイドメンバーと、前記左右サイドメンバーの後部上端を繋ぐ左右横長のアッパーメンバーと、前記左右サイドメンバーの下部前端を繋ぐフロントメンバーとを有しており、
前記フレーム構造体は、前記アッパーメンバーとフロントメンバーとのうちいずれか一方をサイドメンバーと一体化することで前向き開口コの字状又は後ろ向き開口コの字状の形態になったメインフレームと、前記メインフレームの両端に後付けされるエンドメンバーとに構成されており、従って、前記アッパーメンバーがメインフレームを構成しているときにはエンドフレームはフロントメンバーとなり、フロントメンバーがメインフレームを構成しているときにはエンドフレームはアッパーメンバーであり、
一方、前記サポートシートは、展開した状態では略長方形の形態を成していて４つのコーナー部を有しており、前記サポートシートは、前記フレーム構造体が嵌まる筒部を形成しており、前記サポートシートにおける４つのコーナー部のうち少なくとも１つのコーナー部に、前記メインフレーム及びエンドフレームをその一端からサポートシートの筒部に挿通するための開口穴が空いており、前記メインフレームを先にサポートシートの筒部に挿通してからエンドフレームがサポートシートに挿通されている、
請求項１に記載した椅子。
【請求項３】
座と背もたれとが繋がる曲がり部かその近傍に、左右サイドメンバーの内側面に当接する左右長手の中間フレームが配置されており、前記中間メンバーは、前記メインフレームをサポートシートに挿通した後に取り付けられている、
請求項２に記載した椅子。
【請求項４】
前記中間メンバーは、後方又は下方若しくは斜め下方に向けて側面視で凸となるように湾曲している一方、前記サポートシートには中間メンバーが嵌まる中間筒部を形成しており、前記サポートシートのうち中間筒部の箇所が中間メンバーによって後方又は下方若しくは斜め下方に押しやられることにより、前記サポートシートはその左右中間部が凹むように湾曲している、
請求項３に記載した椅子。
【請求項５】
請求項４に記載した構成のうち中間メンバーが斜め下方に向けて凸の形態に湾曲している椅子の製造方法であって、
前記メインフレームをサポートシートの筒部に嵌め込んでから前記エンドフレームをサポートシートの筒部に挿通してメインフレームに取り付ける前又は後に、前記中間メンバーを、平面視で座の手前側に向けて凸の姿勢でサポートシートの中間筒部に嵌め込んで左右サイドメンバーに突っ張らせ、次いで、中間メンバーをサイドメンバーへの当接部を中心にして回転させることにより、中間メンバーを斜め下方に向けて凸の姿勢と成している、
椅子の製造方法。
【発明の詳細な説明】
【技術分野】
【０００１】
本願発明は、着座者の体圧を可撓性のサポートシートで受ける構造の椅子とその製造方法に関するものである。
【背景技術】
【０００２】
椅子において、座や背もたれをフレーム材にメッシュ状等の可撓性サポートシートが張られた構成として、サポートシートで着座者の体圧を受ける構造にしたタイプのものが存在している。このタイプの椅子は、通気性とクッション性とに優れると共にシンプルな外観を呈する等の利点がある。
【０００３】
このタイプの椅子における技術課題の一つはサポートシートの取り付け手段であり、この点について様々の工夫が成されている。例えば、ａ：サポートシートの縁をフレーム材に押さえ部材で押さえ固定する、ｂ：フレーム材を樹脂製として、インサート成形によってサポートシートの縁部をフレーム材に一体化する、ｃ：サポートシートの周囲に線材を固定し、この線材をフレーム材の外周に形成した溝に嵌め込む、といった手段が提案され或いは実際に採用されている。
【０００４】
しかし、上記したａ，ｂの取り付け手段は取り付け強度面での不安を払拭できず、ｃはフレーム材の外周に溝が露出するという問題がある。他方、特許文献１には、サポートシートの外周に筒部を形成して、この筒部にフレーム材を嵌め込むことが記載されており、この手段を採用すると強度面においての不安を払拭できると共に、フレーム材はサポートシートで完全に隠れるため優れた美感を実現することができる。
【特許文献１】特開２００６−１３６５６２号公報
【発明の開示】
【発明が解決しようとする課題】
【０００５】
さて、椅子には背もたれが大きく後傾するロッキング椅子と、背もたれは基本的には後傾しない椅子とがあり、後者の典型例として、骨組みをパイプ材で構成したいわゆるパイプ椅子と呼ばれるものがある。このパイプ椅子は、例えば会議用や商談用のように人が一時的に使用する場合に多用されている。
【０００６】
そして、パイプ椅子のような非ロッキング椅子についても座や背もたれをサポートシート方式にすることが行われているが、従来は、座を構成するサポートシート及びフレーム材と背もたれを構成するサポートシート及びフレーム材を別々に製造して、別々に製造した座と背もたれとを脚装置等の骨組み部材に固定している。しかし、これでは座と背もたれとの一体感に劣るのみならず、部材点数が多くなるため部材管理に手間がかかるという問題があり、更に、座と背もたれとの支持構造も複雑化するという問題がある。
【０００７】
本願発明は、このような現状を改善することを目的の一つとしている。更に本願発明は、背座一体のサポートシート方式椅子に関してより改良された構成を提供することも目的としている。
【課題を解決するための手段】
【０００８】
本願発明は様々の構成を有しており、その典型を請求項で特定している。このうち請求項１の発明は最も上位概念を成すもので、この請求項１の発明に係る椅子は、座及び背もたれを、フレーム構造体とこれにピンと張った状態で取り付けられた１つのサポートシートとで構成しており、前記フレーム構造体及びサポートシートは座の部分と背もたれの部分とが一連に連続しており、前記サポートシートが張られたフレーム構造体を脚装置に上方から重ねて固定している。
【０００９】
請求項２の発明に係る椅子は請求項１を具体化したもので、まず、前記フレーム構造体は、座の左右側部と背もたれの左右側部とを構成するよう側面視略Ｌ字状に曲げられた左右サイドメンバーと、前記左右サイドメンバーの後部上端を繋ぐ左右横長のアッパーメンバーと、前記左右サイドメンバーの下部前端を繋ぐフロントメンバーとを有しており、前記フレーム構造体は、前記アッパーメンバーとフロントメンバーとのうちいずれか一方をサイドメンバーと一体化することで前向き開口コの字状又は後ろ向き開口コの字状の形態になったメインフレームと、前記メインフレームの両端に後付けされるエンドメンバーとに構成されており、従って、前記アッパーメンバーがメインフレームを構成しているときにはエンドフレームはフロントメンバーとなり、フロントメンバーがメインフレームを構成しているときにはエンドフレームはアッパーメンバーになっている。
【００１０】
一方、前記サポートシートは、展開した状態では略長方形の形態を成していて４つのコーナー部を有しており、前記サポートシートは、前記フレーム構造体が嵌まる筒部を形成しており、前記サポートシートにおける４つのコーナー部のうち少なくとも１つのコーナー部に、前記メインフレーム及びエンドフレームをその一端からサポートシートの筒部に挿通するための開口穴が空いており、前記メインフレームを先にサポートシートの筒部に挿通してからエンドフレームがサポートシートに挿通されている。
【００１１】
請求項３の発明は請求項２を具体化したもので、座と背もたれとが繋がる曲がり部かその近傍に、左右サイドメンバーの内側面に当接する左右長手の中間フレームが配置されており、前記中間メンバーは、前記メインフレームをサポートシートに挿通した後に取り付けられている。
【００１２】
請求項４の発明は請求項３の好適な展開例であり、請求項３において、前記中間メンバーは、後方又は下方若しくは斜め下方に向けて側面視で凸となるように湾曲している一方、前記サポートシートには中間メンバーが嵌まる中間筒部を形成しており、前記サポートシートのうち中間筒部の箇所が中間メンバーによって後方又は下方若しくは斜め下方に押しやられることにより、前記サポートシートはその左右中間部が凹むように湾曲している。
【００１３】
請求項５の発明は、請求項４に記載した構成のうち中間メンバーが斜め下方に向けて凸の形態に湾曲している椅子の製造方法に関する。すなわちこの発明では、前記メインフレームをサポートシートの筒部に嵌め込んでから前記エンドフレームをサポートシートの筒部に挿通してメインフレームに取り付ける前又は後に、前記中間メンバーを、平面視で座の手前側に向けて凸の姿勢でサポートシートの中間筒部に嵌め込んで左右サイドメンバーに突っ張らせ、次いで、中間メンバーをサイドメンバーへの当接部を中心にして回転させることにより、中間メンバーを斜め下方に向けて凸の姿勢と成している。
【発明の効果】
【００１４】
本願発明では、座と背もたれとは一連に連続したフレーム構造体とサポートシートとで単一体として構成されているため、シンプルで優れた美感を実現できる。また、座と背もたれとが一つの構造体になっているため、座と背もたれとを別々に製造する場合に比べて部材管理の手間を軽減できる。更に、フレーム構造体を脚装置に固定することで椅子の組み立てが成されるため、椅子の組み立ても能率良く行うことできる。
【００１５】
また、フレーム構造体はサポートシートにすっぽり隠れるため美感が更に優れている。また、先にメインフレームをサポートシートに差し込んでから次にフロントメンバー（及び中間メンバー）とを差し込んでメインフレームに取り付ける、という手順を取ることにより、フレーム構造体の組み立ても支障なく行われる。従って、美感に優れた背座一体方式椅子を、組み立ての確実性を損なうことなく実現できる。
【００１６】
さて、サポートシートはピンと張った状態に保持されているので、サポートシートのテンションが左右サポートシートを互いに近づけるように作用している。そして、左右サポートシートは、その両端はアッパーメンバーとフロントメンバーとで突っ張られているため互いに近づくことはないが、左右サポートシートは両端支持の状態になっているため、座と背もたれとが繋がる曲がり部の箇所が最も近づくように曲がり変形する傾向を呈する。この曲がりの傾向は、人が着座してサポートシートに強いテンションが掛かると一層顕著に現れる。
【００１７】
しかして、請求項３の発明では、左右サポートシートの曲がり部の箇所の中間メンバーが介在していているため、左右サポートシートが互いに近づくように弾性変形することが確実に阻止される。従って、フレーム構造体の保形性に優れており、その結果、椅子は高い剛性・耐久性を確保できると共に、サポートシートを張った状態に保持できて快適な座り心地も保持できる。
【００１８】
椅子の座面は人の臀部や大腿部を包むように上向き凹状に緩く湾曲させていることが多く、また、背もたれの前面も、人の背中を包むように前向き凹状に緩く湾曲していることが多い。そして、請求項４の構成を採用すると、中間メンバーを利用して少なくとも座面に身体を包む凹みを簡単に形成することができる。つまり、補強部材である中間メンバーを利用して椅子の座り心地を向上できる。これも本願発明の優れた利点の一つである。
【００１９】
更に、請求項４の場合、中間メンバーを斜め後方に向けて凸の形態になすと、サポートシートは中間メンバーによって座と背もたれとの両方の箇所においてその左右中間部が凹んだ状態になるために着座者の身体のフィット性に優れている利点がある。そして、中間メンバーが凸形の形態を成していることによってサイドメンバーには強いテンションが掛かっているが、中間メンバーを斜め後ろ向きの姿勢のままで左右サイドメンバーに取り付けるとすると、その取り付けにおいて、左右のサイドメンバーを強い力で離反した状態に保持しつつサポートシートを強い力で引っ張った状態に保持せねばならず、このため組み立て作業に大きな力を要する。
【００２０】
これに対して請求項５の製法を採用すると、中間メンバーを手前に向けて凸の姿勢となすことにより、中間メンバーを左右サイドメンバーに取り付けるにおいて過大が力は要せず、そして、中間メンバーを回転させることはサポートシートにテンションを掛けるだけで容易に成し得る。従って、フレーム構造体の組み立て（延いては椅子の組み立て）の手間を軽減することができる。
【発明を実施するための最良の形態】
【００２１】
次に、本願発明の実施形態を図面に基づいて説明する。本実施形態は会議用や商談用に多用されている４本足方式のいわゆるパイプ椅子に適用している。
【００２２】
(1).椅子の概要
図１のうち（Ａ）は完成状態での椅子の斜視図、（Ｂ）は部分的な側面図、（Ｃ）は骨組みだけを表示した斜視図、図２のうち（Ａ）は分離斜視図、（Ｂ）は背もたれ部の骨組みだけの斜視図、（Ｃ）は（Ｂ）のＣ−Ｃ視断面図である。
【００２３】
これらの図から即座に理解できるように、椅子は、一体に連続した座２及び背もたれ３とから成る上部分１と、上部分１を支持する脚装置４とで構成されており、両者はビスで固定されている。
【００２４】
上部分１は、骨組み（強度メンバー）としてのフレーム構造体５と、人の身体を受けるサポートシート６とで構成されている。フレーム構造体５は、座２の側部と背もたれ３の側部とを構成すべく側面視で略Ｌ字状に形成された左右のサイドメンバー７と、左右サイドメンバー７の上端に一体に固着（溶接）された左右長手のアッパーメンバー８と、左右サイドメンバー７の前端に後付けで取り付けられた左右長手のフロントメンバー９と、左右サイドメンバー７の曲がり部７ａの間に配置した左右長手の中間メンバー１０とで構成されている。
【００２５】
左右サイドメンバー７とアッパーメンバー８とで平面視前向き開口（正面下向き開口）のメインフレームが構成されており、フロントメンバー９及び中間メンバー１０は、サイドメンバー７とは分離した部材として製造されている。本実施形態では、フロントメンバー９がエンドフレームになっている。
【００２６】
サポートシート６は、フレーム構造体５に取り付ける前の展開状態で長方形の形態を成しており、従って４つのコーナー部を有している。サポートシート６は編地から成っており、外周部には、フレーム構造体５が通るように、サイド筒部６ａとアッパー筒部６ｂとフロント筒部６ｃとが形成されている。また、サポートシート６には中間メンバー１０が挿通される中間筒部６ｄも形成されている。言うまでもないが、外周の筒部６ａ，６ｂ，６ｃは全体が連通しており、また、中間筒部６ｃは左右サイド筒部６ａに連通している。
【００２７】
脚装置４は、主として、左右のサイド部材１１と、左右サイド部材１１を繋ぐフロント連結杆１２及びリア連結杆１３で構成されている。左右のサイド部材１１は鋼管等の金属パイプ製であり、前後長手の上支持部１１ａとその前後両端から下方に延びる足とを有する側面視下向き開口コの字状に形成されている。上支持部１１は側面視でやや後傾している。
【００２８】
フロント連結杆１２は丸棒を使用しており（パイプでもよい）、左右サイド部材１０における足の上端寄り部位に、溶接にて固着されている。フロント連結杆１２は直線状に延びている。リア連結杆１３は左右サイド部材１１の後ろのコーナー部の箇所に溶接で固着されており、側面視で斜め下方に凸となるように弓なりに反っている。本実施形態では、左右サイド部材１１の内側面に沿って延びる前後長手のシート支持杆１４が配置されている。シート支持杆１４はサイド部材１１より小径の丸棒製であり、フロント連結杆１２とリア連結杆１３とに溶接で固着されている。
【００２９】
(2).構造の詳細
次に、従前の図に加えて図３以降の図面も参照して構造の詳細を説明する。図３のうち（Ａ）は上部分１の分離斜視図、（Ｂ）はサポートシート６の部分背面図、図４は上部分１の組み立て手順を示す図、図５のうち（Ａ）は一部破断平面図、（Ｂ）は（Ａ）のＢ−Ｂ視断面図、図６のうち（Ａ）は図５（Ａ）のVIA-VIA 視断面図、（Ｂ）は図５（Ａ）のVIB-VIB 視断面図、図７のうち（Ａ）は図５（Ａ）の VIIA-VIIA断面図、（Ｂ）は比較例を示す図である。
【００３０】
上部分１を構成するサイドメンバー７は小判形の金属パイプを素材にして製造されており、座２の部分では全長にわたって断面横長の姿勢であるが、背もたれ３の部分では中途高さから平断面が前後長手になるようにねじられている。そして、サイドメンバー７の内部には、座２の部分の全長と背もたれ３の上下中途高さ部位まで、図２（Ｂ）に示す補強板１６が嵌め込まれている。サイドメンバー７の加工は、直線に延びる材料に補強板１６を挿入してから曲げるという手順で行われる。
【００３１】
サイドメンバー７の前端は下向きに延びるカール部７ｂになっている。フロント連結杆１２の左右両端には上向きピン１７を突設しており、この上向きピン１７は、補強板１６に形成した穴（図示せず）に嵌入している。フロント連結杆１２はサポートシート６のテンションで上向きに引っ張られているので、ビス止めせずとも、上向きピン１７を補強板１６の穴に嵌め込むだけでフロント連結杆１２は脱落不能に保持されている（ビスで固定することも可能である。）。サイドメンバー７は脚装置４のサイド部材１１に上方から重なっており、カール部７ｂは脚装置４を構成するサイド部材１１の前部コーナー部に重なっている。
【００３２】
中間メンバー１０は丸棒製であり、その両端には穴が空いている。そして、両端部が、サイドメンバー７の曲がり部７ａに内向き突設した突起１８に嵌め込まれている。また、中間メンバー１０は脚装置４のリア連結杆１３に斜め上方から重なっており、従って、正面視と平面視とで弓なりに反った形態になっている。換言すると中間メンバー１０が斜め後ろに凸となるように反っているのであり、このため、サポートシート６のうち座構成部と背もたれ構成部との連接部の箇所は、左右中間部に行くほど斜め後ろに突出するように押されており、これが一つの理由となって、サポートシート６は、座２の部分は上向き凹状に湾曲して背もたれ３の部分は平面視で前向き凹状に湾曲している。
【００３３】
サポートシート６の前端部は、左右両端をサイドメンバー７で規制されつつ前端はフロントメンバー９で下向きに引っ張られており、このため、サポートシート６のうちの座の部分はその前部においても下向き凹の状態になっている。そして、既述のとおり、サポートシート６のうち座２の部分はその後部が中間メンバー１０によって上向き凹状に凹んでおり、これらフロントメンバー９と中間メンバー１０との作用により、サポートシート６のうち座の部分はその全長にわたって上向き凹の形態を成している。
【００３４】
他方、フレーム構造体５を構成するアッパーメンバー８は平面視で前向き凹状に湾曲している。このため、サポートシート６のうちの背もたれ構成部は、その上部においてアッパーメンバー８によって前向き凹状に保持されており、他方、その下部では中間メンバー１０によって前向き凹状に保持されている。これらアッパーメンバー８と中間メンバー１０との規制作用により、サポートシート６のうちの背もたれの部分は、全高に亘って前向き凹状の形態が保持されている。
【００３５】
例えば図３に示すように、サポートシート６のうちサイド筒部６ａとフロント筒部６ｂとが繋がっている部分には、フレーム構造体５とフロントメンバー９とを挿通するための主開口穴１９が空いている。主開口穴１９は横向き開口した状態に描いているが、後ろ向きや下向きに開口させることも可能である。サポートシート６の前端部（或いは下端部）は、フロント筒部６ｂを超えて延びる余長部６ｅになっている。これは、サポートシート６を編み機で編成するにおいて、フロント筒部６ｂを形成するために生じるものである。
【００３６】
サポートシート６のうち中間筒部６ｄとサイド筒部６ａとが繋がる部分の裏面部には、中間メンバー１０を通すための中間開口穴２０が空いている。なお、主開口穴１９と中間開口穴２０とは左又は右の１か所だけに設けることも可能であるが、左右に設けると、組み立てに際してフロントメンバー９及び中間メンバー１０の挿入の方向性がないため、組み立て作業の手間軽減に貢献できる。
【００３７】
(3).組み立て手順
椅子の組み立ては、まず上部分１と脚装置４とを別々に製造・組み立てから、上部分１を脚装置４に重ねてビスで固定する、という手順で行われる。そして、上部分１の組み立てに当たっては、先ず、図３（Ａ）に矢印で示すように、左右サイドメンバー７とアッパーメンバー８とからなるメインフレームをサポートシート６の主筒部６ａ及びアッパー筒部６ｂに挿通する。この挿通作業は、サポートシート６の一つの主開口穴１９に一方のサイドメンバー７の一端を先にして挿通し、サポートシート６及びメインフレームの弾性に抗してどんどん差し込んでいく、という手順で行われる。
【００３８】
コの字状のメインフレームをサポートシート６に差し込むことにより、図４（Ａ）のような中間体が構成される。この段階では、左右サイドメンバー７の前端は自由端になっているため、サポートシート６の弾性力により、メインフレームはサイドメンバー７の先端が互いに接近するように弾性変形している。そして、主開口穴１９にフロントメンバー９を差し込んで、サイドメンバー７の前端を所定間隔に広げ、その状態でフロントメンバー９の上向きピン１７をサイドメンバー７に下方から嵌め込む。
【００３９】
次いで、図４（Ｂ）に示すように、サポートシート６の一つの中間開口穴２０から中間メンバー１０を差し込んで、中間メンバー１０をサポートシート６の中間筒部６ｄに挿通し、中間メンバー１０の両端をサイドメンバー７の突起１８に嵌め込む。突起１８への中間メンバー１０の嵌め込みは、左右サイドメンバー７を曲がり部７ａの間隔が広がるように弾性変形させた状態で行う。
【００４０】
また、中間メンバー１０は弓なりに反っている（曲がっている）が、図７（Ｂ）の一点差線で示すように、先ず、側面視で斜め前方向に延びる姿勢で突起１８に嵌め込み、それから矢印で示すように突起１８を支点にして回動させてリア部材１３に重なる所定姿勢にする。図６（Ｂ）の一点差線の姿勢ではサポートシート６には大きなテンションは掛かっていないため中間メンバー１０を突起１８に嵌め込む作業を楽に行え、かつ、中間メンバー１０を所定姿勢に回動させるとサポートシート６は斜め後ろに押されることで強いテンションが掛かる。
【００４１】
中間メンバー１０が所定姿勢になった状態では、サポートシート６のテンションは最も強くなると共にサポートシート６と中間メンバー１０との摩擦も大きくなるため、中間メンバー１０はリア支持部１３に重なる所定姿勢に保持される。このため、上部分１を組み立ててから脚装置４に固定するまでの間の状態で、中間メンバー１０の姿勢が簡単に変わることはない。
【００４２】
図６（Ｂ）から理解できるように、中間筒部２０は中間メンバー１０の断面積よりも何倍も断面積になっている。このため、中間メンバー１０を嵌め入れてから回動させるという作業を容易に行える（中間筒部２０の断面積が小さいと、中間メンバー１０を回動させるに際してテンションが強すぎて作業しづらいことがある。）。また、中間メンバー１０を所定姿勢に回動させた状態で中間筒部２０の内面部は側断面視で滑らかなカーブを描くため、椅子を正面方向から見た状態で中間メンバーの形状が中間筒部２０を介して顕れることはなく、このため見た目が良い。
【００４３】
図６（Ｂ）に示すように、中間メンバー１０はリアビス２１で脚装置４のリア連結杆１３に締結されている。また、図７（Ａ）に示すように、上部分１のサイドメンバー７は脚装置４におけるサイド部材１１の上支持部１１ａにサイドビス２２で締結されている。敢えて述べるまでもないが、ビス２１，２２はサポートシート６を貫通している。
【００４４】
(4).実施形態の利点
さて、既述のとおりサポートシート６の前端部は余長部６ａになっているが、この余長部６ａが垂れ下がったままであると体裁が悪い。そこで本実施形態ではこの問題を解消するため、図６（Ａ）に示すように、余長部６ａをフロント連結杆１２の手前側において上向きに引き出すと共に、フロント連結杆１２の上端部に、フロント連結杆１２よりも小径の補助バー２３を配置し、余長部６ａを補助バー２３の前面に重ねている。
【００４５】
サポートシート６における座構成部の前端部は既述のように前向き凹状に凹んでおり、このため、余長部６ａはサポートシート６の本体部と補助バー２３とで挟まれていて垂れ下がることはない。このため、余長部６ａを人目に触れない状態に美麗に処理できる。
【００４６】
サポートシート６に例えばサイド筒部６ａを形成すると、サイド筒部６ａは１枚板の部分から分岐した状態になる。そして、サポートシート６自体のテンションと着座荷重によるテンションとは、筒部６ａのうちサイドメンバー７の上部箇所と下部箇所とに均等に作用し、このため、図７（Ｂ）に示すように、サポートシート６のうちサイドメンバー７の箇所に位置した部分は正断面視力で２段階に屈曲した状態になり、その結果、屈曲した部分が前後方向に延びる筋となって現れる。このため体裁が悪くなる虞がある。
【００４７】
この点に対して本実施形態では、サイドメンバー７の内面に沿って延びるシート支持杆１４を設け、このシート支持杆１４でサポートシート６の延び姿勢を矯正することで対処てている。
【００４８】
(5).変形例
図８ではサポートシート６の別例を示している。この別例では、サポートシート６のうち背もたれ３を構成する部分は全体が表面部と裏面部とを有する袋状の筒部になっている。従って、サポートシート６は厚みを持ったような外観を呈していてサイドメンバー７の存在が視認し難いため、美感に優れている。また、フレーム構造体５の差し込みも容易である。
【００４９】
(6).その他
本願発明は上記の実施形態の他にも様々に具体化できる。例えば素材の別例としては、メインフレームを樹脂で一体成形して、これに樹脂製のフロントメンバー及び中間メンバーを取り付けるといったことも可能である。脚装置をアルミダイキャストのような成形品製とすることも可能である。また、本願発明は、脚装置に高さ調節可能なガスシリンダが使用された椅子に適用することも可能であり、更に、ベンチに適用することも可能である。
【図面の簡単な説明】
【００５０】
【図１】（Ａ）は完成状態での椅子の斜視図、（Ｂ）は部分的な側面図、（Ｃ）は骨組みだけを表示した斜視図である。
【図２】（Ａ）は分離斜視図、（Ｂ）は上部分の骨組みだけの斜視図、（Ｃ）は（Ｂ）のＣ−Ｃ視断面図である。
【図３】（Ａ）は上部分の分離斜視図、（Ｂ）はサポートシートの部分背面図である。
【図４】上部分の組み立て手順を示す図である。
【図５】（Ａ）は一部破断平面図、（Ｂ）は（Ａ）のＢ−Ｂ視断面図である。
【図６】（Ａ）は図５（Ａ）のVIA-VIA 視断面図、（Ｂ）は図５（Ａ）のVIB-VIB 視断面図である。
【図７】（Ａ）は図５（Ａ）の VIIA-VIIA断面図、（Ｂ）は比較例を示す図である。
【図８】変形例を示す図である。
【符号の説明】
【００５１】
１  座と背もたれとが一体化された上部分
２  座
３  背もたれ
４  脚装置
５  フレーム構造体
６  サポートシート
６ａ６ｂ，６ｃ，６ｄ  筒部
７  メインフレームを構成するサイドメンバー
８  メインフレームを構成するアッパーメンバー
９  エンドフレームを構成するフロントメンバー
１０  中間メンバー
１１  脚装置のサイド部材
１２  脚装置のフロント連結杆
１３  脚装置のリア連結杆
１９  主開口穴
２０  中間開口穴
【図１】
2010154879.tif 000003
【図２】
2010154879.tif 000004
【図３】
2010154879.tif 000005
【図４】
2010154879.tif 000006
【図５】
2010154879.tif 000007
【図６】
2010154879.tif 000008
【図７】
2010154879.tif 000009
【図８】
2010154879.tif 000010